(57)【特許請求の範囲】
【請求項１】
現在の時刻を検出する時刻検出手段と、
現在の位置を検出する位置検出手段と、
通常時はオン及びオフの一方に設定され、使用者によって所定の操作が行われると、オン及びオフの他方に切り替えられる入力手段と、
１つの第１情報及び複数の第２情報が記憶された第１記憶手段と、
前記時刻検出手段が検出した現在時刻及び前記位置検出手段が検出した現在位置に基づいて、所定の表示器に、前記第２情報を表す内容を所定の順番で表示させる表示制御手段と、
使用者が、前記表示器の表示内容に基づいて前記第２情報の中から１つを選択するための選択手段と、
前記入力手段がオン及びオフの一方に設定されている場合は、前記第１情報に基づいて、所定の信号を発信し、前記入力手段がオン及びオフの他方に切り替えられると、前記選択手段によって選択されている前記第２情報に基づいて、所定の信号を発信する通信手段と、
を備えたタグ装置。
【請求項２】
前記第１記憶手段に、自機を特定するためのＩＤ情報が前記第１情報として記憶され、
前記通信手段は、前記入力手段がオン及びオフの一方に設定されている場合は、所定の電気錠制御装置に接続されたアンテナ装置に、前記ＩＤ情報を含む信号を発信し、前記電気錠制御装置に電気錠を解錠させる
請求項１に記載のタグ装置。
【請求項３】
請求項１に記載のタグ装置を利用した管理システムであって、
前記タグ装置から前記第１情報に基づく信号を受信すると、受信した信号に基づいて、電気錠を制御する電気錠制御装置と、
前記タグ装置から前記第２情報に基づく信号を受信すると、受信した信号に基づいて、所定の機器を制御する機器制御装置と、
を備えた管理システム。
【請求項４】
タグ装置と、
電気錠を制御する電気錠制御装置と、
所定の機器を制御する機器制御装置と、
を備え、
前記タグ装置は、
現在の位置を検出する位置検出手段と、
通常時はオン及びオフの一方に設定され、使用者によって所定の操作が行われると、オン及びオフの他方に切り替えられる入力手段と、
所定の第１情報が記憶された第１記憶手段と、
前記入力手段がオン及びオフの一方に設定されている場合は、前記第１情報に基づいて所定の信号を発信し、前記入力手段がオン及びオフの他方に切り替えられると、前記位置検出手段が検出した現在位置に基づいて所定の信号を発信する通信手段と、
を備え、
前記電気錠制御装置は、前記タグ装置から前記第１情報に基づく信号を受信すると、受信した信号に基づいて前記電気錠を制御し、
前記機器制御装置は、
現在の時刻を検出する時刻検出手段と、
前記機器に所定の動作を行わせるための複数の第２情報が記憶された第２記憶手段と、
前記タグ装置から、前記位置検出手段が検出した現在位置に基づく信号を受信すると、前記位置検出手段が検出した現在位置及び前記時刻検出手段が検出した現在時刻に基づいて、前記第２情報の中から１つを選択する選択手段と、
前記選択手段が選択した前記第２情報に基づいて、前記機器を動作させる動作制御手段と、
を備えた管理システム。
【発明の詳細な説明】
【技術分野】
【０００１】
この発明は、タグ装置と、タグ装置を利用した管理システムとに関するものである。
【背景技術】
【０００２】
下記特許文献１には、ＲＦＩＤタグを利用した入退室管理システムが提案されている。
下記特許文献２には、切り替えスイッチを備えた非接触式ＩＣタグが提案されている。
【先行技術文献】
【特許文献】
【０００３】
【特許文献１】日本特開２００５−１６３４１８号公報
【特許文献２】国際公開第２００８／０２９４６１号
【発明の概要】
【発明が解決しようとする課題】
【０００４】
特許文献１や２に記載されたタグ装置は、その利用が、単一のシステムに限定されてしまう。例えば、特許文献１に記載されたＲＦＩＤタグは、入退室を管理するシステムにしか利用することができなかった。【０００５】
この発明は、上述のような課題を解決するためになされたもので、その目的は、通常時は所定のシステムに所定の信号を発信し、必要に応じて、他のシステムに適切な信号を発信することができるタグ装置を提供することである。
また、他の目的は、上記タグ装置を備えた管理システムを提供することである。
【課題を解決するための手段】
【０００７】
この発明に係るタグ装置は、現在の時刻を検出する時刻検出手段と、現在の位置を検出する位置検出手段と、通常時はオン及びオフの一方に設定され、使用者によって所定の操作が行われると、オン及びオフの他方に切り替えられる入力手段と、１つの第１情報及び複数の第２情報が記憶された第１記憶手段と、時刻検出手段が検出した現在時刻及び位置検出手段が検出した現在位置に基づいて、所定の表示器に、第２情報を表す内容を所定の順番で表示させる表示制御手段と、使用者が、表示器の表示内容に基づいて第２情報の中から１つを選択するための選択手段と、入力手段がオン及びオフの一方に設定されている場合は、第１情報に基づいて、所定の信号を発信し、入力手段がオン及びオフの他方に切り替えられると、選択手段によって選択されている第２情報に基づいて、所定の信号を発信する通信手段と、を備えたものである。
【０００８】
この発明に係る管理システムは、上記タグ装置を利用した管理システムであって、タグ装置から第１情報に基づく信号を受信すると、受信した信号に基づいて、電気錠を制御する電気錠制御装置と、タグ装置から第２情報に基づく信号を受信すると、受信した信号に基づいて、所定の機器を制御する機器制御装置と、を備えたものである。【００１０】
また、この発明に係る管理システムは、タグ装置と、電気錠を制御する電気錠制御装置と、所定の機器を制御する機器制御装置と、を備え、タグ装置は、現在の位置を検出する位置検出手段と、通常時はオン及びオフの一方に設定され、使用者によって所定の操作が行われると、オン及びオフの他方に切り替えられる入力手段と、所定の第１情報が記憶された第１記憶手段と、入力手段がオン及びオフの一方に設定されている場合は、第１情報に基づいて所定の信号を発信し、入力手段がオン及びオフの他方に切り替えられると、位置検出手段が検出した現在位置に基づいて所定の信号を発信する通信手段と、を備え、電気錠制御装置は、タグ装置から第１情報に基づく信号を受信すると、受信した信号に基づいて電気錠を制御し、機器制御装置は、現在の時刻を検出する時刻検出手段と、機器に所定の動作を行わせるための複数の第２情報が記憶された第２記憶手段と、タグ装置から、位置検出手段が検出した現在位置に基づく信号を受信すると、位置検出手段が検出した現在位置及び時刻検出手段が検出した現在時刻に基づいて、第２情報の中から１つを選択する選択手段と、選択手段が選択した第２情報に基づいて、機器を動作させる動作制御手段と、を備えたものである。
【発明の効果】
【００１１】
この発明に係るタグ装置であれば、通常時は所定のシステムに所定の信号を発信し、必要に応じて、他のシステムに適切な信号を発信することができる。
また、上記タグ装置を備えた管理システムを提供することができる。
【図面の簡単な説明】
【００１２】
【図１】この発明の実施の形態１における管理システムを示す構成図である。
【図２】この発明の実施の形態２における管理システムを示す構成図である。
【図３】この発明の実施の形態３における管理システムを示す構成図である。
【発明を実施するための形態】
【００１３】
添付の図面を参照して、本発明を詳細に説明する。各図において、同一又は相当する部分には、同一の符号を付している。重複する説明については、適宜簡略化或いは省略する。
【００１４】
実施の形態１．
図１はこの発明の実施の形態１における管理システムを示す構成図である。
本管理システムが備えられた建物（建物の全体又は一部、建物群）では、入退室を所定の人に制限したい部屋の出入口や、通行を所定の人に制限したい通路等に、電気錠１を備えた扉が設置されている。
【００１５】
上記扉の近傍（例えば、扉に隣接する壁面等）には、アンテナ装置２が設置されている。アンテナ装置２は、タグ装置３からＩＤ情報（を含む信号）を受信する。タグ装置３は、電気錠１を備えた扉の通行を許可された人（通行許可者）が所有するものである。ＩＤ情報は、タグ装置３（タグ装置３の所有者）を特定するための情報である。アンテナ装置２は、所定の検出範囲に存在するタグ装置３から、ＩＤ情報を受信する。
タグ装置３の具体的構成及びタグ装置３が有する具体的機能については、後述する。
【００１６】
電気錠制御装置４は、電気錠１を制御する。アンテナ装置２及び電気錠１は、電気錠制御装置４に接続されている。アンテナ装置２は、タグ装置３からＩＤ情報を受信すると、その受信したＩＤ情報を電気錠制御装置４に送信する。
【００１７】
電気錠制御装置４には、通行許可者の情報が、扉毎（電気錠１毎）に記憶手段５に記憶されている。例えば、記憶手段５には、通行許可者に割り当てられたＩＤ情報（以下、単に「通行許可者のＩＤ情報」ともいう）が、扉毎（電気錠１毎）に予め登録されている。
【００１８】
電気錠制御装置４は、アンテナ装置２からＩＤ情報を受信すると、その認証機能（認証手段）により、扉を通行しようとしている人（通行者）が、通行許可者であるか否かを判定する。例えば、認証手段は、アンテナ装置２がＩＤ情報を受信すると、その受信されたＩＤ情報が、通行許可者のＩＤ情報として記憶手段５に登録されているか否かを判定する。認証手段は、アンテナ装置２が受信したＩＤ情報が、既登録のＩＤ情報に一致する場合に、そのタグ装置３を携帯する通行者が、通行許可者であることを判定する。
【００１９】
電気錠制御装置４は、通常時は電気錠１を施錠し、扉が開放されることを阻止する。一方、通行者が通行許可者であることを認証手段が判定すると、電気錠制御装置４は、その錠制御機能により、対応の電気錠１を解錠する。このため、社員等、予め通行が許可されている人は、自分のタグ装置３を携帯してアンテナ装置２に接近すれば、特別な操作を行うことなく自動的に通行許可者と判定され、対応の扉が開放される（或いは、開放可能な状態になる）。
【００２０】
上記システム（入退室管理システム）が備えられた建物には、１つ或いは複数の他のシステムが備えられている。
例えば、上記他のシステムは、機器６、機器制御装置７、アンテナ装置８を備えている。機器制御装置７は、所定の機器６を制御する。アンテナ装置８及び機器６は、機器制御装置７に接続されている。アンテナ装置８は、タグ装置３から所定の信号を受信する。アンテナ装置８は、タグ装置３から上記所定の信号を受信すると、その受信した信号を機器制御装置７に送信する。機器制御装置７では、アンテナ装置８から受信した信号に基づいて、機器６を適切に動作させる。
【００２１】
タグ装置３は、非接触型のタグからなる。タグ装置３は、時刻検出手段９、位置検出手段１０、入力手段１１、記憶手段１２、選択手段１３、通信手段１４を備えている。
【００２２】
時刻検出手段９は、現在の時刻を検出する。タグ装置３に時計機能が備えられている場合、時刻検出手段９は、この時計機能に基づいて、現在の時刻を検出する。タグ装置３に時計機能が備えられていない場合、時刻検出手段９は、例えば、時刻に関する情報を外部から取得して、現在の時刻を検出する。
【００２３】
位置検出手段１０は、タグ装置３の現在の位置を検出する。この現在位置を検出する機能は、如何なる手段を用いて実現しても良い。例えば、位置検出手段１０としてＧＰＳ受信機を備えていれば、ＧＰＳ衛星からの信号を受信して、現在位置を検出（特定）することができる。また、建物に、位置情報（を含む信号）を発信する発信機が備えられていることがある。かかる場合、位置検出手段１０は、上記発信機から受信した信号に基づいて、現在位置を検出することができる。
【００２４】
入力手段１１は、オン又はオフに切り替え可能な手段からなる。入力手段１１は、通常時、オン及びオフの一方に設定される。また、タグ装置３を使用している人（使用者）によって所定の操作が行われると、オン及びオフの他方に切り替えられる。以下においては、一例として、入力手段１１が、接点を開閉するボタンから構成される場合について、説明を行う。また、入力手段１１は、常時はオフの状態に設定され、使用者によって押されることにより、オンに切り替えられるものとする。
【００２５】
記憶手段１２には、入退室管理システムで主に利用される第１情報と、上記他のシステムで利用される複数の第２情報とが記憶されている。例えば、記憶手段１２には、第１情報として、自機を特定するためのＩＤ情報が記憶される。また、記憶手段１２には、第２情報として、機器６に所定の動作を行わせるための複数の動作情報が記憶される。
【００２６】
選択手段１３は、タグ装置３から発信する情報を、記憶手段１２に記憶されている複数の情報（第１情報及び複数の第２情報）の中から選択する機能を有する。
通信手段１４は、外部に信号を発信する機能を有する。即ち、通信手段１４は、選択手段１３が選択した情報に基づいて、外部に信号を発信する。通信手段１４から発信された信号は、アンテナ装置２やアンテナ装置８に受信される。
【００２７】
選択手段１３は、入力手段１１のオン／オフ状態に応じて、選択する情報を切り替える。例えば、入力手段１１が押されることなく、オフの状態に設定されている場合、選択手段１３は、通信手段１４から発信させる情報として、第１情報を選択する。かかる場合、通信手段１４は、例えば、ＩＤ情報を含む信号を発信する。タグ装置３がアンテナ装置２の検出範囲に存在する場合、通信手段１４から発信された（ＩＤ情報を含む）信号は、アンテナ装置２に受信される。上記ＩＤ情報が通行許可者に割り当てられたものであれば、電気錠制御装置４によって電気錠１が解錠される。
【００２８】
一方、入力手段１１が使用者によって押され、オンの状態に切り替えられると、選択手段１３は、通信手段１４から発信させる情報として、第２情報の何れかを選択する。この時、選択手段１３は、時刻検出手段９が検出した現在時刻と位置検出手段１０が検出した現在位置とに基づいて、記憶手段１２に記憶されている複数の第２情報の中から１つを選択する。
【００２９】
記憶手段１２には、例えば、下記表１に示すような操作リストが記憶されている。
【００３０】
【表１】
0005644963.tif 000002
【００３１】
選択手段１３は、入力手段１１がオンに切り替わった時の時刻とタグ装置３の位置とに基づいて、操作内容（第２情報に相当）を決定する。一例として、朝の時間帯（例えば、午前６時から午前１０時までの間）に、事務所入口に、タグ装置３が存在する場合を考える。入力手段１１が押されていなければ、選択手段１３によって第１情報（ＩＤ情報）が選択され、通信手段１４から、ＩＤ情報を含む信号が発信される。かかる信号は、アンテナ装置２によって受信される。電気錠制御装置４は、受信したＩＤ情報が既登録のＩＤ情報と一致すれば、事務所入口の扉に備えられた電気錠１を解錠する。
【００３２】
一方、入力手段１１が押されると、選択手段１３は、上記操作リストの中から、最適な操作内容を第２情報として選択する。入力手段１１が押された時（入力手段１１がオンに切り替わった時）の時刻は、時刻検出手段９によって検出される。時刻検出手段９は、例えば、現在時刻が朝（例えば、午前８時４５分）であることを検出する。入力手段１１が押された時の位置は、位置検出手段１０によって検出される。位置検出手段１０は、現在位置が事務所入口であることを検出する。選択手段１３は、時刻検出手段９及び位置検出手段１０の各検出結果に基づいて、操作内容として「初回入室の場合に空調をオンにする」を選択する。即ち、選択手段１３は、第２情報として、上記操作リストの２番に対応する情報を選択する。
【００３３】
通信手段１４から発信された信号は、事務所入口に設置されたアンテナ装置８によって受信される。このアンテナ装置８は、例えば、空調設備を管理するシステムに備えられたものである。この空調管理システムには、機器６として空調機器が備えられている。アンテナ装置８は、受信した上記信号を、機器制御装置７に送信する。機器制御装置７は、アンテナ装置８が受信した上記信号に基づいて、空調機器を制御する。例えば、上記使用者が初回の入室であれば、機器制御装置７は、空調機器をオンにする。
【００３４】
なお、使用者が入力手段１１を離すと、入力手段１１は、外力から解放されて、自然にオフの状態に戻る。このため、使用者が入力手段１１を押すことを止めると、通信手段１４からは、第１情報を含む信号が発信される。
【００３５】
上記構成を有する管理システムであれば、通常時はタグ装置３から入退室管理システムに電気錠１を解錠するための信号を発信し、必要に応じて、タグ装置３から他のシステムに適切な信号を発信することができる。即ち、タグ装置３を多機能化でき、利便性を向上させることができる。
【００３６】
タグ装置３には、使用者が操作する入力手段１１が備えられているため、使用者は、他のシステム（例えば、空調管理システムや出退勤管理システム）に対して信号を発信するか否かの選択を自分で行うことができる。
【００３７】
本実施の形態では、アンテナ装置をシステム毎に備えたが、各システムに共通のアンテナ装置を設置しても良い。かかる場合は、例えば、アンテナ装置２によってタグ装置３からの信号を全て受信し、電気錠制御装置４（或いは、アンテナ装置２に接続された他の装置）において、必要な信号を機器制御装置７に転送する。
【００３８】
実施の形態２．
図２はこの発明の実施の形態２における管理システムを示す構成図である。
本実施の形態において、入退室管理システム及び他のシステムは、実施の形態１と同様の構成を有している。
【００３９】
本実施の形態におけるタグ装置３は、時刻検出手段９、位置検出手段１０、入力手段１１、記憶手段１５、表示器１６、表示制御手段１７、選択手段１８、通信手段１９を備えている。時刻検出手段９、位置検出手段１０、入力手段１１は、実施の形態１と同様である。
【００４０】
実施の形態１におけるタグ装置３では、使用者が同じ場所で同じ時刻に入力手段１１を押すと、通信手段１４から常に同じ信号が発信される。しかし、例えば、本システムが日勤と夜勤とがある工場に採用されている場合、夜の時間帯（例えば、午後４時から午後１０時までの間）に入場門の近くにいる人が、常に退勤しているとは限らない。実施の形態１におけるタグ装置３であっても、例えば、記憶手段１２内の操作リスト（表１参照）を、タグ装置３の所有者毎に変更すれば、上記問題を解決することはできる。しかし、このような解決手段では、操作リストの更新に、多大な手間と費用とが掛かってしまう。本実施の形態におけるタグ装置３であれば、このような問題を解決することができる。
【００４１】
本実施の形態におけるタグ装置３では、記憶手段１５に、入退室管理システムで主に利用される第１情報と、上記他のシステムで利用される複数の第２情報とが記憶されている。例えば、記憶手段１５には、第１情報として、自機を特定するためのＩＤ情報が記憶される。また、記憶手段１５には、第２情報として、機器６に所定の動作を行わせるための複数の動作情報が記憶される。
下記表２は、記憶手段１５に記憶された操作リストを示している。
【００４２】
【表２】
0005644963.tif 000003
【００４３】
表示制御手段１７は、表示器１６の表示を制御する。表示制御手段１７は、記憶手段１５に記憶されている複数の第２情報の内容を、所定の順番で、表示器１６に表示させる。表示制御手段１７は、表示器１６に表示させる順番を、時刻検出手段９が検出した現在時刻と位置検出手段１０が検出した現在位置とに基づいて決定する。
【００４４】
一例として、朝の時間帯（例えば、午前６時から午前１０時までの間）に、入場門の入口に、タグ装置３が存在する場合を考える。時刻検出手段９によって現在の時刻が、位置検出手段１０によって現在の位置が検出される。表示制御手段１７は、時刻検出手段９及び位置検出手段１０の各検出結果に基づいて、その時刻及びその位置で、使用者が操作を行う可能性が高い順に、操作内容（第２情報が表す内容）を表示器１６に表示させる。例えば、表示制御手段１７の機能により、表示器１６に「出勤操作」、「退勤操作」、「戻り操作」、「外出操作」が上から順に表示される。
【００４５】
選択手段１８は、タグ装置３の使用者が、第２情報の中から１つを選択するためのものである。即ち、使用者は、表示器１６の表示内容を見ながら選択手段１８を操作することにより、表示器１６に表示されている操作内容から、１つを選択することができる。例えば、選択手段１８によって選択された第２情報（を表す内容）は、その表示が反転するように、表示器１６に表示される。かかる場合、選択手段１８は、表示を反転させる領域を動かすための方向キー等によって構成される。
【００４６】
通信手段１９は、外部に信号を発信する機能を有する。通信手段１９は、入力手段１１のオン／オフ状態に応じて、発信する信号を切り替える。入力手段１１が押されることなく、オフの状態に設定されている場合、通信手段１９は、第１情報に基づいて、所定の信号を発信する。例えば、通信手段１９は、ＩＤ情報を含む信号を発信する。タグ装置３がアンテナ装置２の検出範囲に存在する場合、通信手段１９から発信された（ＩＤ情報を含む）信号は、アンテナ装置２に受信される。上記ＩＤ情報が通行許可者に割り当てられたものであれば、電気錠制御装置４によって電気錠１が解錠される。
【００４７】
一方、入力手段１１が使用者によって押され、オンの状態に切り替えられると、通信手段１９は、選択手段１８によって選択されている第２信号に基づいて、所定の信号を発信する。例えば、上記例において、選択手段１８が「退勤操作」を選択している場合、使用者によって入力手段１１が押されると、通信手段１９は、上記操作リストの１−１番に対応する情報（第２情報）に基づいて、外部に信号を発信する。
【００４８】
通信手段１９から発信された上記信号は、入場門入口に設置されたアンテナ装置８によって受信される。このアンテナ装置８は、例えば、出退勤を管理するシステムに備えられたものである。この出退勤管理システムには、機器６として、従業員の出退勤を記録するための装置が備えられている。アンテナ装置８は、受信した上記信号を、機器制御装置７に送信する。機器制御装置７は、アンテナ装置８が受信した上記信号に基づいて、当該従業員の退勤記録を行う。
【００４９】
上記構成を有する管理システムであれば、例えば、３交代制等、複雑な勤務体系が採用されている場合であっても、基本となる操作リストを記憶手段１５に記憶させておけば、使用者の操作によって適切な信号を他のシステムに送信することができる。このため、タグ装置３を管理及びメンテナンスする管理者側の負担を大幅に軽減させることができる。
【００５０】
本実施の形態において説明しない事項については、実施の形態１と同様である。
【００５１】
実施の形態３．
図３はこの発明の実施の形態３における管理システムを示す構成図である。
本実施の形態において、入退室管理システムは、実施の形態１と同様の構成を有している。
【００５２】
本実施の形態におけるタグ装置３は、位置検出手段１０、入力手段１１、記憶手段２０、通信手段２１を備えている。本実施の形態におけるタグ装置３は、時刻検出手段９を備えていない。位置検出手段１０、入力手段１１は、実施の形態１と同様である。
【００５３】
本実施の形態におけるタグ装置３では、記憶手段２０に、入退室管理システムで主に利用される第１情報が記憶されている。例えば、記憶手段２０には、第１情報として、自機を特定するためのＩＤ情報が記憶される。
【００５４】
通信手段２１は、外部に信号を発信する機能を有する。通信手段２１は、入力手段１１のオン／オフ状態に応じて、発信する信号を切り替える。入力手段１１が押されることなく、オフの状態に設定されている場合、通信手段２１は、第１情報に基づいて、所定の信号を発信する。例えば、通信手段２１は、ＩＤ情報を含む信号を発信する。タグ装置３がアンテナ装置２の検出範囲に存在する場合、通信手段２１から発信された（ＩＤ情報を含む）信号は、アンテナ装置２に受信される。上記ＩＤ情報が通行許可者に割り当てられたものであれば、電気錠制御装置４によって電気錠１が解錠される。
【００５５】
一方、入力手段１１が使用者によって押され、オンの状態に切り替えられると、通信手段２１は、位置検出手段１０が検出した現在位置に基づいて、所定の信号を発信する。例えば、通信手段２１は、使用者によって入力手段１１が押されると、位置検出手段１０が検出した現在位置の情報を含む信号を、外部に発信する。
【００５６】
通信手段２１から発信された上記信号は、他のシステムのアンテナ装置８によって受信される。他のシステムには、アンテナ装置８の他に、機器６、機器制御装置７が備えられている。機器制御装置７は、機器６を制御する。アンテナ装置８及び機器６は、機器制御装置７に接続されている。アンテナ装置８は、タグ装置３から上記信号を受信すると、その受信した信号を機器制御装置７に送信する。機器制御装置７では、アンテナ装置８から受信した信号に基づいて、機器６を適切に動作させる。
【００５７】
機器制御装置７は、時刻検出手段２２、記憶手段２３、選択手段２４、動作制御手段２５を備えている。
時刻検出手段２２は、現在の時刻を検出する。機器制御装置７に時計機能が備えられている場合、時刻検出手段２２は、この時計機能に基づいて、現在の時刻を検出する。機器制御装置７に時計機能が備えられていない場合、時刻検出手段２２は、例えば、時刻に関する情報を外部から取得して、現在の時刻を検出する。
【００５８】
記憶手段２３には、当該システムで利用される複数の第２情報が記憶されている。例えば、記憶手段２３には、第２情報として、機器６に所定の動作を行わせるための複数の動作情報が記憶される。
下記表２は、記憶手段２３に記憶された操作リストを示している。
【００５９】
【表３】
0005644963.tif 000004
【００６０】
選択手段２４は、機器６を動作させるための情報を、記憶手段２３に記憶されている複数の第２情報の中から選択する機能を有する。
動作制御手段２５は、機器６を制御する機能を有する。即ち、動作制御手段２５は、選択手段２４が選択した第２情報に基づいて、機器６を適切に動作させる。
【００６１】
選択手段２４は、位置検出手段１０が検出した現在位置の情報を含む信号をアンテナ装置８が受信すると、第２情報の何れかを選択する。この時、選択手段２４は、位置検出手段１０が検出した現在位置と時刻検出手段２２が検出した現在時刻とに基づいて、記憶手段２３に記憶されている複数の第２情報の中から１つを選択する。
【００６２】
例えば、昼の時間帯（例えば、午前１０時から午後４時までの間）に、入場門出口に、タグ装置３が存在する場合を考える。
かかる場合、タグ装置３の位置検出手段１０は、現在位置が入場門出口であることを検出する。使用者が入力手段１１を押すと、通信手段２１から、位置検出手段１０が検出した現在位置を含む信号が発信される。
【００６３】
通信手段２１から発信された信号は、入場門出口に設置されたアンテナ装置８によって受信される。このアンテナ装置８は、例えば、勤務状況を管理するシステム（出退勤管理システム）に備えられたものである。この出退勤管理システムには、機器６として、従業員の勤務状況を記録するための装置が備えられている。アンテナ装置８は、受信した上記信号を、機器制御装置７に送信する。
【００６４】
機器制御装置７では、時刻検出手段２２が、現在時刻が昼（例えば、午後１時３０分）であることを検出する。選択手段２４は、時刻検出手段２２及び位置検出手段１０の各検出結果に基づいて、操作内容として「外出操作」を選択する。即ち、選択手段２４は、第２情報として、上記操作リストの３番に対応する情報を選択する。動作制御手段２５は、選択手段２４が選択した第２情報に基づいて、当該従業員の外出記録を行う。
【００６５】
上記構成を有する管理システムであっても、実施の形態１と同様の効果を奏することができる。上記構成の管理システムであれば、タグ装置３側の構成を簡素化でき、タグ装置３を小型化することができる。
【００６６】
本実施の形態において説明しない事項については、実施の形態１と同様である。
【産業上の利用可能性】
【００６７】
この発明に係るタグ装置は、複数のシステムを備えた管理システムに適用することができる。
【符号の説明】
【００６８】
１  電気錠
２、８  アンテナ装置
３  タグ装置
４  電気錠制御装置
５、１２、１５、２０、２３  記憶手段
６  機器
７  機器制御装置
９、２２  時刻検出手段
１０  位置検出手段
１１  入力手段
１３、１８、２４  選択手段
１４、１９、２１  通信手段
１６  表示器
１７  表示制御手段
２５  動作制御手段
【図１】
0005644963.tif 000005
【図２】
0005644963.tif 000006
【図３】
0005644963.tif 000007